(57)【特許請求の範囲】
【請求項１】
主マイクによって収集された第１の音声信号と、補助マイクによって収集された第２の音声信号とを取得する段階と、
前記第１の音声信号のボリュームの値と、前記第２の音声信号のボリュームの値との関係に従って音声信号処理ポリシーを決定する段階と、
ピア通信端末に送信されるべき音声信号を前記音声信号処理ポリシーに従って決定する段階であって、前記音声信号処理ポリシーは、前記ピア通信端末に送信されるべき前記音声信号のボリュームが、事前設定されたボリューム閾値を上回ることを確実にすべく使用される、段階と、
を備え、
前記音声信号処理ポリシーは第１の音声信号処理ポリシーを含み、
前記第１の音声信号のボリュームの値と前記第２の音声信号のボリュームの値との関係に従って音声信号処理ポリシーを決定する前記段階は、
前記第１の音声信号の前記ボリュームが、前記第２の音声信号の前記ボリュームより小さい場合、前記音声信号処理ポリシーは前記第１の音声信号処理ポリシーであると決定する段階であり、
前記第１の音声信号処理ポリシーは、前記補助マイクによって収集された前記第２の音声信号を前記ピア通信端末に送信することを含む
通信デバイスのための音声信号を処理するための方法。
【請求項２】
主マイクによって収集された第１の音声信号と、補助マイクによって収集された第２の音声信号とを取得する段階と、
前記第１の音声信号のボリュームの値と、前記第２の音声信号のボリュームの値との関係に従って音声信号処理ポリシーを決定する段階と、
ピア通信端末に送信されるべき音声信号を前記音声信号処理ポリシーに従って決定する段階であって、前記音声信号処理ポリシーは、前記ピア通信端末に送信されるべき前記音声信号のボリュームが、事前設定されたボリューム閾値を上回ることを確実にすべく使用される、段階と、
を備え、
前記音声信号処理ポリシーは第３の音声信号処理ポリシーを含み、
前記第１の音声信号のボリュームの値と前記第２の音声信号のボリュームの値との関係に従って音声信号処理ポリシーを決定する前記段階は、
前記第１の音声信号の前記ボリュームが前記第２の音声信号の前記ボリュームと等しい場合、前記音声信号処理ポリシーは前記第３の音声信号処理ポリシーであると決定する段階であり、
前記第３の音声信号処理ポリシーは、
前記第２の音声信号の前記ボリュームを下げ、前記第１の音声信号と、ボリュームが下げられた前記第２の音声信号との間で音響フィルタリングを実行して第４の音声信号を得、前記第４の音声信号を前記ピア通信端末に送信することを含む
通信デバイスのための音声信号を処理するための方法。
【請求項３】
主マイクによって収集された第１の音声信号と、補助マイクによって収集された第２の音声信号とを取得する段階と、
前記第１の音声信号のボリュームの値と、前記第２の音声信号のボリュームの値との関係に従って音声信号処理ポリシーを決定する段階と、
ピア通信端末に送信されるべき音声信号を前記音声信号処理ポリシーに従って決定する段階であって、前記音声信号処理ポリシーは、前記ピア通信端末に送信されるべき前記音声信号のボリュームが、事前設定されたボリューム閾値を上回ることを確実にすべく使用される、段階と、
を備え、
前記音声信号処理ポリシーは第１の音声信号処理ポリシーを含み、
前記第１の音声信号のボリュームの値と前記第２の音声信号のボリュームの値との関係に従って音声信号処理ポリシーを決定する前記段階は、
前記第１の音声信号の前記ボリュームが、前記第２の音声信号の前記ボリュームより小さい場合、前記音声信号処理ポリシーは前記第１の音声信号処理ポリシーであると決定する段階であり、
前記第１の音声信号処理ポリシーは、前記第２の音声信号の前記ボリュームが前記事前設定されたボリューム閾値より大きい、又はそれに等しいかどうかを決定することであり、
ピア通信端末に送信されるべき音声信号を前記音声信号処理ポリシーに従って決定する前記段階は、
前記第２の音声信号の前記ボリュームが、前記事前設定されたボリューム閾値より大きい、又はそれに等しい場合、前記補助マイクによって収集された前記第２の音声信号を前記ピア通信端末に送信する段階、又は、前記第２の音声信号の前記ボリュームが、前記事前設定されたボリューム閾値より小さい場合、前記第２の音声信号の前記ボリュームを上げ、ボリュームが上げられた前記第２の音声信号を前記ピア通信端末に送信する段階であって、前記第２の音声信号の前記ボリュームは、前記事前設定されたボリューム閾値より大きい、又はそれに等しいボリュームまで上げられる、段階である、
通信デバイスのための音声信号を処理するための方法。
【請求項４】
主マイクによって収集された第１の音声信号と、補助マイクによって収集された第２の音声信号とを取得する段階と、
前記第１の音声信号のボリュームの値と、前記第２の音声信号のボリュームの値との関係に従って音声信号処理ポリシーを決定する段階と、
ピア通信端末に送信されるべき音声信号を前記音声信号処理ポリシーに従って決定する段階であって、前記音声信号処理ポリシーは、前記ピア通信端末に送信されるべき前記音声信号のボリュームが、事前設定されたボリューム閾値を上回ることを確実にすべく使用される、段階と、
を備え、
前記音声信号処理ポリシーは第２の音声信号処理ポリシーを含み、
前記第１の音声信号のボリュームの値と前記第２の音声信号のボリュームの値との関係に従って音声信号処理ポリシーを決定する前記段階は、
前記第１の音声信号の前記ボリュームが前記第２の音声信号の前記ボリュームより大きい場合、前記音声信号処理ポリシーは前記第２の音声信号処理ポリシーであると決定する段階であり、
前記第２の音声信号処理ポリシーは、
前記第１の音声信号と前記第２の音声信号との間で音響フィルタリングを実行して第３の音声信号を得、
前記第３の音声信号のボリュームが前記事前設定されたボリューム閾値より大きい、又はそれに等しいかどうかを決定することであり、
ピア通信端末に送信されるべき音声信号を前記音声信号処理ポリシーに従って決定する前記段階は、
前記第３の音声信号の前記ボリュームが前記事前設定されたボリューム閾値より大きい、又はそれに等しい場合、前記第３の音声信号を前記ピア通信端末に送信する段階、又は、前記第３の音声信号の前記ボリュームが、前記事前設定されたボリューム閾値より小さい場合、ボリューム増幅処理オペレーションを実行して、前記ボリューム増幅処理オペレーションの実行後の前記音声信号を前記ピア通信端末に送信する段階であって、前記音声信号の前記ボリュームは、前記ボリューム増幅処理オペレーションの実行後、前記事前設定されたボリューム閾値より大きい、又はそれに等しいボリュームまで上げられている、段階である、
通信デバイスのための音声信号を処理するための方法。
【請求項５】
主マイクによって収集された第１の音声信号と、補助マイクによって収集された第２の音声信号とを取得する段階と、
前記第１の音声信号のボリュームの値と、前記第２の音声信号のボリュームの値との関係に従って音声信号処理ポリシーを決定する段階と、
ピア通信端末に送信されるべき音声信号を前記音声信号処理ポリシーに従って決定する段階であって、前記音声信号処理ポリシーは、前記ピア通信端末に送信されるべき前記音声信号のボリュームが、事前設定されたボリューム閾値を上回ることを確実にすべく使用される、段階と、
を備え、
前記音声信号処理ポリシーは第３の音声信号処理ポリシーを含み、
前記第１の音声信号のボリュームの値と前記第２の音声信号のボリュームの値との関係に従って音声信号処理ポリシーを決定する前記段階は、
前記第１の音声信号の前記ボリュームが前記第２の音声信号の前記ボリュームと等しい場合、前記音声信号処理ポリシーは前記第３の音声信号処理ポリシーであると決定する段階であり、
前記第３の音声信号処理ポリシーは、
前記第２の音声信号の前記ボリュームを下げ、前記第１の音声信号と、ボリュームが下げられた前記第２の音声信号との間で音響フィルタリングを実行して第４の音声信号を得、
前記第４の音声信号のボリュームが前記事前設定されたボリューム閾値より大きい、又はそれに等しいかどうかを決定することであり、
ピア通信端末に送信されるべき音声信号を前記音声信号処理ポリシーに従って決定する前記段階は、
前記第４の音声信号の前記ボリュームが前記事前設定されたボリューム閾値より大きい、又はそれに等しい場合、前記第４の音声信号を前記ピア通信端末に送信する段階、又は、前記第４の音声信号の前記ボリュームが前記事前設定されたボリューム閾値より小さい場合、ボリューム増幅処理オペレーションを実行し、前記ボリューム増幅処理オペレーションの実行後の前記音声信号を前記ピア通信端末に送信する段階であって、前記ボリューム増幅処理オペレーションの実行後、前記音声信号の前記ボリュームは、前記事前設定されたボリューム閾値より大きい、又はそれに等しいボリュームまで上げられている、段階である、
通信デバイスのための音声信号を処理するための方法。
【請求項６】
ボリューム増幅処理オペレーションを実行し、前記ボリューム増幅処理オペレーションの実行後の前記音声信号を前記ピア通信端末に送信する前記段階であって、前記音声信号の前記ボリュームは、前記ボリューム増幅処理オペレーションの実行後、前記事前設定されたボリューム閾値より大きい、又はそれに等しいボリュームまで上げられている、前記段階は、
前記第２の音声信号の前記ボリュームを下げ、前記第１の音声信号と、ボリュームが下げられた前記第２の音声信号との間で音響フィルタリングを実行して第５の音声信号を得、前記第５の音声信号を前記ピア通信端末に送信する段階であって、前記第５の音声信号のボリュームは、前記事前設定されたボリューム閾値より大きい、又はそれに等しい、段階、又は、
前記第１の音声信号の前記ボリュームを上げ、ボリュームが上げられた前記第１の音声信号と、前記第２の音声信号との間で音響フィルタリングを実行して第６の音声信号を得、前記第６の音声信号を前記ピア通信端末に送信する段階であって、前記第６の音声信号のボリュームは、前記事前設定されたボリューム閾値より大きい、又はそれに等しい、段階、又は、
前記第２の音声信号の前記ボリュームを下げ、前記第１の音声信号の前記ボリュームを上げ、ボリュームが上げられた前記第１の音声信号と、ボリュームが下げられた前記第２の音声信号との間で音響フィルタリングを実行して第７の音声信号を得、前記第７の音声信号を前記ピア通信端末に送信する段階であって、前記第７の音声信号のボリュームは、前記事前設定されたボリューム閾値より大きい、又はそれに等しい、段階を含む、請求項４又は５に記載の方法。
【請求項７】
主マイクによって収集された第１の音声信号と、補助マイクによって収集された第２の音声信号とを取得する段階と、
前記第１の音声信号のボリュームの値と、前記第２の音声信号のボリュームの値との関係に従って音声信号処理ポリシーを決定する段階と、
ピア通信端末に送信されるべき音声信号を前記音声信号処理ポリシーに従って決定する段階であって、前記音声信号処理ポリシーは、前記ピア通信端末に送信されるべき前記音声信号のボリュームが、事前設定されたボリューム閾値を上回ることを確実にすべく使用される、段階と、
を備え、
前記第１の音声信号のボリュームの値と、前記第２の音声信号のボリュームの値との関係に従って音声信号処理ポリシーを決定する前記段階の前に、
前記第１の音声信号の前記ボリュームと、前記第２の音声信号の前記ボリュームとが、最小ボリューム閾値より大きい、又はそれに等しいかどうかを決定する段階と、
前記第１の音声信号の前記ボリュームと、前記第２の音声信号の前記ボリュームとが共に前記最小ボリューム閾値より大きい、又はそれに等しい場合、前記第１の音声信号のボリュームの値と、前記第２の音声信号のボリュームの値との関係に従って音声信号処理ポリシーを決定する前記段階を実行する段階とを更に備え、
前記最小ボリューム閾値は前記事前設定されたボリューム閾値より小さい、
通信デバイスのための音声信号を処理するための方法。
【請求項８】
前記最小ボリューム閾値は２０ｄｂであり、前記事前設定されたボリューム閾値は４０ｄｂである、請求項７に記載の方法。
【請求項９】
通信デバイスのための音声信号を処理するためのデバイスであって、
第１の音声信号を収集する主マイクと、
第２の音声信号を収集する補助マイクと、
前記主マイクによって収集された前記第１の音声信号と、前記補助マイクによって収集された前記第２の音声信号とを取得する受信機と、
前記第１の音声信号のボリュームの値と、前記第２の音声信号のボリュームの値との関係に従って音声信号処理ポリシーを決定するプロセッサと、
ピア通信端末に送信されるべき音声信号を前記音声信号処理ポリシーに従って決定する送信機とを備え、前記音声信号処理ポリシーは、前記ピア通信端末に送信されるべき前記音声信号のボリュームが、事前設定されたボリューム閾値を上回ることを確実にすべく使用され、
前記音声信号処理ポリシーは第１の音声信号処理ポリシーを含み、
前記プロセッサは、
前記第１の音声信号の前記ボリュームが、前記第２の音声信号の前記ボリュームより小さい場合、前記音声信号処理ポリシーは前記第１の音声信号処理ポリシーであると決定し、
前記第１の音声信号処理ポリシーは、前記補助マイクによって収集された前記第２の音声信号を前記ピア通信端末に送信することを含む
デバイス。
【請求項１０】
通信デバイスのための音声信号を処理するためのデバイスであって、
第１の音声信号を収集する主マイクと、
第２の音声信号を収集する補助マイクと、
前記主マイクによって収集された前記第１の音声信号と、前記補助マイクによって収集された前記第２の音声信号とを取得する受信機と、
前記第１の音声信号のボリュームの値と、前記第２の音声信号のボリュームの値との関係に従って音声信号処理ポリシーを決定するプロセッサと、
ピア通信端末に送信されるべき音声信号を前記音声信号処理ポリシーに従って決定する送信機とを備え、前記音声信号処理ポリシーは、前記ピア通信端末に送信されるべき前記音声信号のボリュームが、事前設定されたボリューム閾値を上回ることを確実にすべく使用され、
前記音声信号処理ポリシーは第３の音声信号処理ポリシーを含み、
前記プロセッサは、
前記第１の音声信号の前記ボリュームが前記第２の音声信号の前記ボリュームと等しい場合、前記音声信号処理ポリシーは前記第３の音声信号処理ポリシーであると決定し、
前記第３の音声信号処理ポリシーは、
前記第２の音声信号の前記ボリュームを下げ、前記第１の音声信号と、ボリュームが下げられた前記第２の音声信号との間で音響フィルタリングを実行して第４の音声信号を得、前記第４の音声信号を前記ピア通信端末に送信することを含む
デバイス。
【請求項１１】
通信デバイスのための音声信号を処理するためのデバイスであって、
第１の音声信号を収集する主マイクと、
第２の音声信号を収集する補助マイクと、
前記主マイクによって収集された前記第１の音声信号と、前記補助マイクによって収集された前記第２の音声信号とを取得する受信機と、
前記第１の音声信号のボリュームの値と、前記第２の音声信号のボリュームの値との関係に従って音声信号処理ポリシーを決定するプロセッサと、
ピア通信端末に送信されるべき音声信号を前記音声信号処理ポリシーに従って決定する送信機とを備え、前記音声信号処理ポリシーは、前記ピア通信端末に送信されるべき前記音声信号のボリュームが、事前設定されたボリューム閾値を上回ることを確実にすべく使用され、
前記音声信号処理ポリシーは第１の音声信号処理ポリシーを含み、
前記プロセッサは、
前記第１の音声信号の前記ボリュームが、前記第２の音声信号の前記ボリュームより小さい場合、前記音声信号処理ポリシーは前記第１の音声信号処理ポリシーであると決定し、
前記第１の音声信号処理ポリシーは、
前記第２の音声信号の前記ボリュームが、前記事前設定されたボリューム閾値より大きい、又はそれに等しいかどうかを決定することであり、
前記送信機は、
前記第２の音声信号の前記ボリュームが、前記事前設定されたボリューム閾値より大きい、又はそれに等しい場合、前記補助マイクによって収集された前記第２の音声信号を前記ピア通信端末に送信する、又は、前記第２の音声信号の前記ボリュームが、前記事前設定されたボリューム閾値より小さい場合、前記第２の音声信号の前記ボリュームを上げ、ボリュームが上げられた前記第２の音声信号を前記ピア通信端末に送信し、前記第２の音声信号の前記ボリュームは、前記事前設定されたボリューム閾値より大きい、又はそれに等しいボリュームまで上げられる、
デバイス。
【請求項１２】
通信デバイスのための音声信号を処理するためのデバイスであって、
第１の音声信号を収集する主マイクと、
第２の音声信号を収集する補助マイクと、
前記主マイクによって収集された前記第１の音声信号と、前記補助マイクによって収集された前記第２の音声信号とを取得する受信機と、
前記第１の音声信号のボリュームの値と、前記第２の音声信号のボリュームの値との関係に従って音声信号処理ポリシーを決定するプロセッサと、
ピア通信端末に送信されるべき音声信号を前記音声信号処理ポリシーに従って決定する送信機とを備え、前記音声信号処理ポリシーは、前記ピア通信端末に送信されるべき前記音声信号のボリュームが、事前設定されたボリューム閾値を上回ることを確実にすべく使用され、
前記音声信号処理ポリシーは、更に第２の音声信号処理ポリシーを含み、
前記プロセッサは、
前記第１の音声信号の前記ボリュームが前記第２の音声信号の前記ボリュームより大きい場合、前記音声信号処理ポリシーは前記第２の音声信号処理ポリシーであると決定し、
前記第２の音声信号処理ポリシーは、
前記第１の音声信号と前記第２の音声信号との間で音響フィルタリングを実行して第３の音声信号を得、
前記第３の音声信号のボリュームが、前記事前設定されたボリューム閾値より大きい、又はそれに等しいかどうかを決定することであり、
前記送信機は、
前記第３の音声信号の前記ボリュームが、前記事前設定されたボリューム閾値より大きい、又はそれに等しい場合、前記第３の音声信号を前記ピア通信端末に送信する、又は、前記第３の音声信号の前記ボリュームが、前記事前設定されたボリューム閾値より小さい場合、ボリューム増幅処理オペレーションを実行し、前記ボリューム増幅処理オペレーションの実行後の前記音声信号を前記ピア通信端末に送信し、前記ボリューム増幅処理オペレーションの実行後、前記音声信号の前記ボリュームは、前記事前設定されたボリューム閾値より大きい、又はそれに等しいボリュームまで上げられている、
デバイス。
【請求項１３】
通信デバイスのための音声信号を処理するためのデバイスであって、
第１の音声信号を収集する主マイクと、
第２の音声信号を収集する補助マイクと、
前記主マイクによって収集された前記第１の音声信号と、前記補助マイクによって収集された前記第２の音声信号とを取得する受信機と、
前記第１の音声信号のボリュームの値と、前記第２の音声信号のボリュームの値との関係に従って音声信号処理ポリシーを決定するプロセッサと、
ピア通信端末に送信されるべき音声信号を前記音声信号処理ポリシーに従って決定する送信機とを備え、前記音声信号処理ポリシーは、前記ピア通信端末に送信されるべき前記音声信号のボリュームが、事前設定されたボリューム閾値を上回ることを確実にすべく使用され、
前記音声信号処理ポリシーは第３の音声信号処理ポリシーを含み、
前記プロセッサは、
前記第１の音声信号の前記ボリュームが、前記第２の音声信号の前記ボリュームと等しい場合、前記音声信号処理ポリシーは前記第３の音声信号処理ポリシーであると決定し、
前記第３の音声信号処理ポリシーは、
前記第２の音声信号の前記ボリュームを下げ、前記第１の音声信号と、ボリュームが下げられた前記第２の音声信号との間で音響フィルタリングを実行して第４の音声信号を得、
前記第４の音声信号のボリュームが前記事前設定されたボリューム閾値より大きい、又はそれに等しいかどうかを決定することであり、
前記送信機は、
前記第４の音声信号の前記ボリュームが、前記事前設定されたボリューム閾値より大きい、又はそれに等しい場合、前記第４の音声信号を前記ピア通信端末に送信する、又は、前記第４の音声信号の前記ボリュームが、前記事前設定されたボリューム閾値より小さい場合、ボリューム増幅処理オペレーションを実行し、前記ボリューム増幅処理オペレーションの実行後の前記音声信号を前記ピア通信端末に送信し、前記ボリューム増幅処理オペレーションの実行後、前記音声信号の前記ボリュームは、前記事前設定されたボリューム閾値より大きい、又はそれに等しいボリュームまで上げられている、
デバイス。
【請求項１４】
前記送信機は、
前記第２の音声信号の前記ボリュームを下げ、前記第１の音声信号と、ボリュームが下げられた前記第２の音声信号との間で音響フィルタリングを実行して、そのボリュームが前記事前設定されたボリューム閾値より大きい、又はそれに等しい第５の音声信号を得、前記第５の音声信号を前記ピア通信端末に送信する、
又は、
前記第１の音声信号の前記ボリュームを上げ、ボリュームが上げられた前記第１の音声信号と、前記第２の音声信号との間で音響フィルタリングを実行して、そのボリュームが、前記事前設定されたボリューム閾値より大きい、又はそれに等しい第６の音声信号を得、前記第６の音声信号を前記ピア通信端末に送信する、
又は、
前記第２の音声信号の前記ボリュームを下げ、前記第１の音声信号の前記ボリュームを上げ、ボリュームが上げられた前記第１の音声信号と、ボリュームが下げられた前記第２の音声信号との間で音響フィルタリングを実行し、そのボリュームが、前記事前設定されたボリューム閾値より大きい、又はそれに等しい第７の音声信号を得、前記第７の音声信号を前記ピア通信端末に送信する、請求項１２又は１３に記載のデバイス。
【請求項１５】
通信デバイスのための音声信号を処理するためのデバイスであって、
第１の音声信号を収集する主マイクと、
第２の音声信号を収集する補助マイクと、
前記主マイクによって収集された前記第１の音声信号と、前記補助マイクによって収集された前記第２の音声信号とを取得する受信機と、
前記第１の音声信号のボリュームの値と、前記第２の音声信号のボリュームの値との関係に従って音声信号処理ポリシーを決定するプロセッサと、
ピア通信端末に送信されるべき音声信号を前記音声信号処理ポリシーに従って決定する送信機とを備え、前記音声信号処理ポリシーは、前記ピア通信端末に送信されるべき前記音声信号のボリュームが、事前設定されたボリューム閾値を上回ることを確実にすべく使用され、
前記プロセッサは更に、
前記第１の音声信号の前記ボリューム、及び前記第２の音声信号の前記ボリュームが、最小ボリューム閾値より大きい、又はそれに等しいかどうかを決定し、
前記第１の音声信号の前記ボリューム、及び前記第２の音声信号の前記ボリュームが共に、前記最小ボリューム閾値より大きい、又はそれに等しい場合、前記第１の音声信号のボリュームの値と、前記第２の音声信号のボリュームの値との関係に従った音声信号処理ポリシーの前記決定を実行し、
前記最小ボリューム閾値は、前記事前設定されたボリューム閾値より小さい、
デバイス。
【請求項１６】
前記最小ボリューム閾値は２０ｄｂであり、前記事前設定されたボリューム閾値は４０ｄｂである、請求項１５に記載のデバイス。
【発明の詳細な説明】
【技術分野】
【０００１】
本発明は通信技術に関し、具体的には、通信デバイスのための音声信号を処理するための方法及びデバイスに関する。
【背景技術】
【０００２】
通信技術の発展に伴い、携帯無線機、短波無線局、及び携帯電話などのスマート端末機を含む複数の通信デバイス製品がますます広く使用されている。
【０００３】
雑音環境においてクリアな音声通信を実施すべく、先行技術では、ノイズを排除するために、マイクを使用したノイズ低減方法が使用される必要がある。故に、従来技術の通信デバイスには２つのタイプのマイクが通常配置されている。１つは、主マイクであり、もう１つは補助マイクである。通常、主マイクがただ１つ配置され、補助マイクが１又は複数配置されてよい。主マイクは通話中にユーザによって使用されるマイクであり、ユーザによって生成される音声信号を収集するよう構成されており、補助マイクは、通信デバイスの周辺の周囲ノイズ信号を収集するよう構成されている。主マイクによって収集された音声信号と、補助マイクによって収集された周囲ノイズ信号との間で音響フィルタリングを実行することで、ノイズ低減音声信号が得られてよく、当該ノイズ低減音声信号はピア通信端末に転送される、これにより、ピア通信端末のユーザは比較的クリアな音声を聞くことができる。
【０００４】
しかしながら、主マイク及び補助マイクを使用してノイズが低減された通信デバイスが使用された場合、ピア通信端末のユーザが聞く音声のボリュームが非常に小さい、又は、音が全く聞こえないという問題が起きることが多い。
【発明の概要】
【０００５】
本発明の実施形態は通信デバイスのための音声信号を処理するための方法及びデバイスを提供して、通信プロセスにおいて、ピア通信端末のユーザが聞く音声のボリュームが小さい、又は、音が全く聞こえないという問題を解決する。
【０００６】
第１態様によると、本発明の実施形態は、通信デバイスのための音声信号を処理するための方法を提供する。当該方法は、主マイクによって収集された第１の音声信号と、補助マイクによって収集された第２の音声信号とを取得する段階と、第１の音声信号のボリュームの値と、第２の音声信号のボリュームの値との関係に従って音声信号処理ポリシーを決定し、ピア通信端末に送信されるべき音声信号を当該音声信号処理ポリシーに従って決定する段階であって、当該音声信号処理ポリシーは、ピア通信端末に送信されるべき音声信号のボリュームが、事前設定されたボリューム閾値を上回ることを確実にすべく使用される、段階とを備える。
【０００７】
第１態様を参照して、第１態様の第１の可能な実装方式において、当該音声信号処理ポリシーは第１の音声信号処理ポリシーを含み、第１の音声信号のボリュームの値と、第２の音声信号のボリュームの値との関係に従って音声信号処理ポリシーを決定する段階は具体的に、第１の音声信号のボリュームが第２の音声信号のボリュームより小さい場合、音声信号処理ポリシーは第１の音声信号処理ポリシーであると決定する段階であり、第１の音声信号処理ポリシーは、第２の音声信号のボリュームが事前設定されたボリューム閾値より大きい、又はそれに等しいかどうかを決定することであり、ピア通信端末に送信されるべき音声信号を音声信号処理ポリシーに従って決定する段階は具体的に、第２の音声信号のボリュームが事前設定されたボリューム閾値より大きい、又はそれに等しい場合、補助マイクによって収集された第２の音声信号をピア通信端末に送信する段階、又は、第２の音声信号のボリュームが事前設定されたボリューム閾値より小さい場合、第２の音声信号のボリュームを上げ、ボリュームが上げられた第２の音声信号をピア通信端末に送信する段階であって、第２の音声信号のボリュームは、事前設定されたボリューム閾値より大きい、又はそれに等しいボリュームまで上げられる、段階である。
【０００８】
第１態様を参照して、第１態様の第２の可能な実装方式において、音声信号処理ポリシーは第２の音声信号処理ポリシーを含み、第１の音声信号のボリュームの値と第２の音声信号のボリュームの値との関係に従って音声信号処理ポリシーを決定する段階は具体的に、第１の音声信号のボリュームが第２の音声信号のボリュームより大きい場合、音声信号処理ポリシーは第２の音声信号処理ポリシーであると決定する段階であって、当該第２の音声信号処理ポリシーは、第１の音声信号と第２の音声信号との間で音響フィルタリングを実行して第３の音声信号を得、第３の音声信号のボリュームが事前設定されたボリューム閾値より大きい、又はそれに等しいかどうかを決定することであると決定する段階であり、ピア通信端末に送信されるべき音声信号を音声信号処理ポリシーに従って決定する段階は具体的に、第３の音声信号のボリュームが、事前設定されたボリューム閾値より大きい、又はそれに等しい場合、第３の音声信号をピア通信端末に送信する段階、又は、第３の音声信号のボリュームが、事前設定されたボリューム閾値より小さい場合、ボリューム増幅処理オペレーションを実行し、ボリューム増幅処理オペレーション実行後の音声信号をピア通信端末に送信する段階であって、音声信号のボリュームは、ボリューム増幅処理オペレーション実行後、事前設定されたボリューム閾値より大きい、又はそれに等しいボリュームまで上げられている、段階である。
【０００９】
第１態様を参照して、第１態様の第３の可能な実装方式において、音声信号処理ポリシーは第３の音声信号処理ポリシーを含み、第１の音声信号のボリュームの値と第２の音声信号のボリュームの値との関係に従って音声信号処理ポリシーを決定する段階は具体的に、第１の音声信号のボリュームが第２の音声信号のボリュームと等しい場合、音声信号処理ポリシーは第３の音声信号処理ポリシーであると決定し、当該第３の音声信号処理ポリシーは、第２の音声信号のボリュームを下げ、第１の音声信号と、ボリュームが下げられた第２の音声信号との間で音響フィルタリングを実行して第４の音声信号を得、第４の音声信号のボリュームが事前設定されたボリューム閾値より大きい、又はそれに等しいかどうかを決定することであり、ピア通信端末に送信されるべき音声信号を音声信号処理ポリシーに従って決定する段階は具体的に、第４の音声信号のボリュームが事前設定されたボリューム閾値より大きい、又はそれに等しい場合、第４の音声信号をピア通信端末に送信する段階、又は、第４の音声信号のボリュームが事前設定されたボリューム閾値より小さい場合、ボリューム増幅処理オペレーションを実行し、ボリューム増幅処理オペレーション実行後の音声信号をピア通信端末に送信する段階であって、ボリューム増幅処理オペレーションの実行後、音声信号のボリュームは、事前設定されたボリューム閾値より大きい、又はそれに等しいボリュームまで上げられている、段階である。
【００１０】
第１態様の第２又は第３の可能な実装方式を参照して、第１態様の第４の可能な実装方式において、ボリューム増幅処理オペレーションを実行し、ボリューム増幅処理オペレーション実行後の音声信号をピア通信端末に送信する段階であって、ボリューム増幅処理オペレーション実行後、音声信号のボリュームは、事前設定されたボリューム閾値より大きい、又はそれに等しいボリュームまで上げられている、段階は、第２の音声信号のボリュームを下げ、第１の音声信号と、ボリュームが下げられた第２の音声信号との間で音響フィルタリングを実行して、第５の音声信号を得、第５の音声信号をピア通信端末に送信する段階であって、第５の音声信号のボリュームは事前設定されたボリューム閾値より大きい、又はそれに等しい、段階、又は、第１の音声信号のボリュームを上げ、ボリュームが上げられた第１の音声信号と、第２の音声信号との間で音響フィルタリングを実行して第６の音声信号を得、第６の音声信号をピア通信端末に送信する段階であって、第６の音声信号のボリュームは、事前設定されたボリューム閾値より大きい、又はそれに等しい、段階、又は、第２の音声信号のボリュームを下げ、第１の音声信号のボリュームを上げ、ボリュームが上げられた第１の音声信号と、ボリュームが下げられた第２の音声信号との間で音響フィルタリングを実行して第７の音声信号を得、第７の音声信号をピア通信端末に送信する段階であって、第７の音声信号のボリュームは、事前設定されたボリューム閾値より大きい、又はそれに等しい、段階を含む。
【００１１】
第１態様、又は、第１態様の第１から第４の可能な実装方式の何れか１つを参照して、第１態様の第５の可能な実装方式において、第１の音声信号のボリュームの値と第２の音声信号のボリュームの値との関係に従って音声信号処理ポリシーを決定する段階の前に、当該方法は更に、第１の音声信号のボリュームと第２の音声信号のボリュームとが、最小ボリューム閾値より大きい、又はそれに等しいかどうかを決定する段階と、第１の音声信号のボリュームと、第２の音声信号のボリュームとが共に、最小ボリューム閾値より大きい、又はそれに等しい場合、第１の音声信号のボリュームの値と第２の音声信号のボリュームの値との関係に従って音声信号処理ポリシーを決定する段階を実行する段階とを備え、当該最小ボリューム閾値は、事前設定されたボリューム閾値より小さい。
【００１２】
第１態様の第５の可能な実装方式を参照して、第１態様の第６の可能な実装方式において、最小ボリューム閾値は２０ｄｂであり、事前設定されたボリューム閾値は４０ｄｂである。
【００１３】
第２態様によると、本発明の実施形態は、音声信号を処理するためのデバイスを提供する。当該デバイスは、第１の音声信号を収集するよう構成された主マイクと、第２の音声信号を収集するよう構成された補助マイクと、主マイクによって収集された第１の音声信号、及び補助マイクによって収集された第２の音声信号を取得するよう構成された受信機と、第１の音声信号のボリュームの値と第２の音声信号のボリュームの値との関係に従って音声信号処理ポリシーを決定するよう構成されたプロセッサと、ピア通信端末に送信されるべき音声信号を音声信号処理ポリシーに従って決定するよう構成された送信機とを備え、当該音声信号処理ポリシーは、ピア通信端末に送信されるべき音声信号のボリュームが、事前設定されたボリューム閾値を上回ることを確実にすべく使用される。
【００１４】
第２態様を参照して、第２態様の第１の可能な実装方式において、音声信号処理ポリシーは第１の音声信号処理ポリシーを含み、プロセッサは具体的に、第１の音声信号のボリュームが第２の音声信号のボリュームより小さい場合、音声信号処理ポリシーは第１の音声信号処理ポリシーであると決定するよう構成され、当該第１の音声信号処理ポリシーは、第２の音声信号のボリュームが、事前設定されたボリューム閾値より大きい、又はそれに等しいかどうかを決定することであり、送信機は具体的に、第２の音声信号のボリュームが、事前設定されたボリューム閾値より大きい、又はそれに等しい場合、補助マイクによって収集された第２の音声信号をピア通信端末に送信する、又は、第２の音声信号のボリュームが、事前設定されたボリューム閾値より小さい場合、第２の音声信号のボリュームを上げ、ボリュームが上げられた第２の音声信号をピア通信端末に送信するよう構成されており、第２の音声信号のボリュームは、事前設定されたボリューム閾値より大きい、又はそれに等しいボリュームまで上げられる。
【００１５】
第２態様を参照して、第２態様の第２の可能な実装方式において、音声信号処理ポリシーは更に第２の音声信号処理ポリシーを含み、プロセッサは具体的に、第１の音声信号のボリュームが第２の音声信号のボリュームより大きい場合、音声信号処理ポリシーは第２の音声信号処理ポリシーであると決定するよう構成されており、当該第２の音声信号処理ポリシーは、第１の音声信号と第２の音声信号との間で音響フィルタリングを実行して第３の音声信号を得、第３の音声信号のボリュームが事前設定されたボリューム閾値より大きい、又はそれに等しいかどうかを決定することであり、送信機は具体的に、第３の音声信号のボリュームが事前設定されたボリューム閾値より大きい、又はそれに等しい場合、第３の音声信号をピア通信端末に送信する、又は、第３の音声信号のボリュームが、事前設定されたボリューム閾値より小さい場合、ボリューム増幅処理オペレーションを実行し、ボリューム増幅処理オペレーション実行後の音声信号をピア通信端末に送信するよう構成され、ボリューム増幅処理オペレーション実行後、音声信号のボリュームは、事前設定されたボリューム閾値より大きい、又はそれに等しいボリュームまで上げられている。
【００１６】
第２態様を参照して、第２態様の第３の可能な実装方式において、音声信号処理ポリシーは第３の音声信号処理ポリシーを含み、プロセッサは具体的に、第１の音声信号のボリュームが第２の音声信号のボリュームと等しい場合、音声信号処理ポリシーは、第３の音声信号処理ポリシーであると決定するよう構成されており、当該第３の音声信号処理ポリシーは、第２の音声信号のボリュームを下げ、第１の音声信号と、ボリュームが下げられた第２の音声信号との間で音響フィルタリングを実行して第４の音声信号を得、第４の音声信号のボリュームが事前設定されたボリューム閾値より大きい、又はそれに等しいかどうかを決定することであり、送信機は具体的に、第４の音声信号のボリュームが事前設定されたボリューム閾値より大きい、又はそれに等しい場合、第４の音声信号をピア通信端末に送信する、又は、第４の音声信号のボリュームが事前設定されたボリューム閾値より小さい場合、ボリューム増幅処理オペレーションを実行し、ボリューム増幅処理オペレーション実行後の音声信号をピア通信端末に送信するよう構成されており、ボリューム増幅処理オペレーション実行後、音声信号のボリュームは事前設定されたボリューム閾値より大きい、又はそれに等しいボリュームまで上げられている。
【００１７】
第２態様の第２又は第３の可能な実装方式を参照して、第２態様の第４の可能な実装方式において、送信機は具体的に、第２の音声信号のボリュームを下げ、第１の音声信号と、ボリュームが下げられた第２の音声信号との間で音響フィルタリングを実行して、そのボリュームが、事前設定されたボリューム閾値より大きい、又はそれに等しい第５の音声信号を得、第５の音声信号をピア通信端末に送信する、又は、第１の音声信号のボリュームを上げ、ボリュームが上げられた第１の音声信号と、第２の音声信号との間で音響フィルタリングを実行して、そのボリュームが、事前設定されたボリューム閾値より大きい、又はそれに等しい第６の音声信号を得、第６の音声信号をピア通信端末に送信する、又は、第２の音声信号のボリュームを下げ、第１の音声信号のボリュームを上げ、ボリュームが上げられた第１の音声信号と、ボリュームが下げられた第２の音声信号との間で音響フィルタリングを実行して、そのボリュームが、事前設定されたボリューム閾値より大きい、又はそれに等しい第７の音声信号を得、第７の音声信号をピア通信端末に送信するよう構成されている。
【００１８】
第２態様、又は、第２態様の第１から第４の可能な実装方式の何れか１つを参照して、第２態様の第５の可能な実装方式において、プロセッサは更に、第１の音声信号のボリューム及び第２の音声信号のボリュームが最小ボリューム閾値より大きい、又はそれに等しいかどうかを決定し、第１の音声信号のボリューム及び第２の音声信号のボリュームが共に最小ボリューム閾値より大きい、又はそれに等しい場合、第１の音声信号のボリュームの値と第２の音声信号のボリュームの値との関係に従って音声信号処理ポリシーを決定する段階を実行するよう構成されており、当該最小ボリューム閾値は事前設定されたボリューム閾値より小さい。
【００１９】
第２態様の第５の可能な実装方式を参照して、第２態様の第６の可能な実装方式において、最小ボリューム閾値は２０ｄｂであり、事前設定されたボリューム閾値は４０ｄｂである。
【００２０】
本発明の実施形態において提供されている通信デバイスのための音声信号を処理するための方法及びデバイスによると、主マイクによって収集された第１の音声信号のボリュームの値と、補助マイクによって収集された第２の音声信号のボリュームの値との関係が比較によって取得されて音声信号処理ポリシーが決定され、これにより、音声信号処理ポリシーが使用された後、ピア通信端末に送信されるべき音声信号のボリュームが事前設定されたボリューム閾値を上回り、通信プロセスにおいて、ピア通信端末のユーザが聞く音声のボリュームが小さい、又は音が全く聞こえないという問題を解決する。
【図面の簡単な説明】
【００２１】
本発明の実施形態における、又は従来技術における技術的解決手段をより明確に説明すべく、実施形態又は従来技術を説明するために必要な添付の図面を以下で簡潔に説明する。以下の説明における添付の図面は本発明のいくつかの実施形態を示すに過ぎず、当業者ならば、創造努力なくこれらの添付の図面から他の図面を更に導き出し得ることは明らかである。
【００２２】
【図１】本発明に係る、音声信号を処理するための方法の実施形態のフローチャートである。
【００２３】
【図２】本発明に係る、音声信号を処理するための方法の別の実施形態のフローチャートである。
【００２４】
【図３】本発明に係る、音声信号を処理するための方法の更に別の実施形態のフローチャートである。
【００２５】
【図４】本発明に係る、音声信号を処理するための方法の更に別の実施形態のフローチャートである。
【００２６】
【図５】本発明に係る、音声信号を処理するためのデバイスの実施形態の概略構造図である。
【発明を実施するための形態】
【００２７】
本発明の実施形態における添付の図面を参照して、本発明の実施形態における技術的解決手段を以下で明確かつ完全に説明する。説明されている実施形態が、本発明の実施形態の一部に過ぎず、全部ではないことは明らかである。創造努力なく、本発明の実施形態に基づいて当業者によって得られた他の全ての実施形態は、本発明の保護範囲内に含まれるものである。
【００２８】
ピア通信端末において聞かれる音声のボリュームが非常に小さい、又は、音が全く聞こえないという従来技術における問題は、本発明者によって詳細に分析され、以下の結果が得られている。
【００２９】
通信デバイス上の主マイク及び補助マイクは異なる位置に配置され、主マイクは通常、通信デバイスの下方端部に配置され、補助マイクは下方端部に配置される、若しくは、側端部に配置されてよい、又は、別の配置方法が使用される。しかしながら、何れの配置位置が使用されるかに関わらず、通信プロセスにおけるユーザの異なる保持の所作が、主マイクとユーザとの間の異なる相対距離、及び補助マイクとユーザとの間の異なる相対距離をもたらす。その結果、主マイクによって収集された音声信号のボリューム、及び補助マイクによって収集された音声信号のボリュームは異なり、ノイズを低減させるべく、主マイクによって収集された音声信号と補助マイクによって収集された音声信号との間で音響フィルタリングが実行された後、ピア通信端末において聞かれる音声のボリュームが非常に小さい、又は、音が全く聞こえないという問題が生じる。故に、主マイクによって収集された音声信号のボリュームの値と補助マイクによって収集された音声信号のボリュームの値との関係に従って、調整が実行される必要があり、これにより、ピア通信端末に送信される音声のボリュームはユーザの要求を満たすことができる。
【００３０】
故に、本発明は以下の実施形態を提供する。
【００３１】
図１は、本発明に係る、音声信号を処理するための方法の実施形態のフローチャートである。図１に示されているように、当該方法は以下の段階を備える。
【００３２】
段階１０１：主マイクによって収集された第１の音声信号と、補助マイクによって収集された第２の音声信号とを取得する。
【００３３】
この段階では、主マイクによって収集された第１の音声信号は、主に人によって生成された音声信号であり、補助マイクによって収集された第２の音声信号は、主に周囲ノイズ信号である。
【００３４】
段階１０２：第１の音声信号のボリュームの値と第２の音声信号のボリュームの値との関係に従って音声信号処理ポリシーを決定する。
【００３５】
この段階では、主マイク及び補助マイクは異なる位置に配置されており、ユーザは異なる複数の所作で通信デバイスを保持するので、主マイクによって収集される音声信号のボリュームと、補助マイクによって収集される音声信号のボリュームとは異なる。主マイクによって収集され、かつ段階１０１において取得された第１の音声信号のボリュームが、補助マイクによって収集され、かつ段階１０１において取得された第２の音声信号のボリュームと比較され、音声信号処理ポリシーは、その２つの音声信号のボリュームの値の関係に従って決定される。音声信号処理ポリシーは具体的に、ピア通信端末に送信されるべき音声信号がユーザの要求を満たす、すなわち、ユーザに音が聞こえるようにし、マイクによって収集された音声信号をピア通信端末に送信する、又は、主マイク及び補助マイクによって収集された音声信号のボリュームを調整し、音響フィルタリングを実行した後に得られた音声信号をピア通信端末に送信することであってよい。
【００３６】
段階１０３：ピア通信端末に送信されるべき音声信号を音声信号処理ポリシーに従って決定する。当該音声信号処理ポリシーは、ピア通信端末に送信されるべき音声信号のボリュームが、事前設定されたボリューム閾値を上回ることを確実にすべく使用される。
【００３７】
段階１０２において決定された音声信号処理ポリシーに従って、マイクによって収集された音声信号が選択され、ピア通信端末に送信される、又は、主マイク及び補助マイクによって収集された音声信号のボリュームは対応して調整され、次に、処理後の音声信号がピア通信端末に送信されて、ピア通信端末に送信される音声信号のボリュームが事前設定されたボリューム閾値を上回るということを満たし、ピア通信端末において聞かれる音声のボリュームが小さい、又は、音が全く聞こえないという問題を克服する。事前設定されたボリューム閾値は、通常、人の聴力機能に従って記述された、標準的な屋内での会話のデシベル値に設定されてよい。ピア通信端末は、携帯電話、又は、通信モジュールを有する別の携帯端末機であってよい。
【００３８】
この実施形態における音声信号を処理するための方法によると、主マイクによって収集される第１の音声信号のボリュームの値と、補助マイクによって収集される第２の音声信号のボリュームの値との関係が比較によって取得されて、音声信号処理ポリシーが決定され、これにより、音声信号処理ポリシーが使用された後、ピア通信端末に送信されるべき音声信号のボリュームは、事前設定されたボリューム閾値を上回る。主マイクによって収集された第１の音声信号のボリュームの値と、補助マイクによって収集された第２の音声信号のボリュームの値との関係は分析され、異なる複数の音声信号処理ポリシーが使用される、すなわち、マイクによって収集された音声信号が、ピア通信端末に送信されるべき音声信号として使用される、又は、第１の音声信号のボリューム若しくは第２の音声信号のボリュームを対応して調整し、音響フィルタリングを実行した後に得られた音声信号をピア通信端末に送信されるべき音声信号として使用される。そうして、ピア通信端末に送信されるべき音声信号のボリュームが、ボリューム閾値より大きくなることを確実にし、通信プロセスにおいて、ピア通信端末のユーザが聞く音声のボリュームが小さい、又は、音が全く聞こえないという問題を解決する。
【００３９】
図１に示されている方法の実施形態の技術的解決手段が、いくつかの特定の実施形態を使用して異なる複数のシナリオに従って以下で詳細に説明される。
【００４０】
ユーザが通信デバイスを使用して音声通信を実行する場合、例えば、通常、次のようにいくつかのケースが起こる。
【００４１】
ケース１：ユーザが通信デバイスを保持するとき、ユーザの指が主マイクの穴を塞ぐことがあり、主マイクは、ユーザによって生成される音声信号を収集することができない。このケースでは、補助マイクが周囲ノイズ信号を正常に収集する場合、処理を通して通信デバイスによって得られ、かつ、ピア通信端末に送信されるべき音声信号のボリュームは「ゼロ」であってよい。
【００４２】
ケース２：ユーザによって保持された通信デバイスのサイズが大きい場合、通信デバイス上の主マイクの穴はユーザの口元から離れていることがあり、主マイクによって収集される音声信号のボリュームは比較的小さい。同様に、補助マイクが周囲ノイズ信号を正常に収集する場合、処理を通して通信デバイスによって得られ、かつ、ピア通信端末に送信されるべき音声信号のボリュームは、より小さくてよい、又は、もっと言えば「ゼロ」であってもよい。
【００４３】
ケース３：通信デバイスがユーザから比較的離れているとき、主マイクとユーザとの間の距離、及び、補助マイクとユーザとの間の距離はほぼ同じであってよい。このケースでは、主マイクによって収集される音声信号のボリューム、及び、補助マイクによって収集される音声信号のボリュームはほぼ同じであり、主マイクによって収集される音声信号、及び、補助マイクによって収集される音声信号は互いに相殺されることがある。故に、処理を通して通信デバイスによって得られ、かつ、ピア通信端末に送信されるべき音声信号のボリュームは、非常に小さい、又は、もっと言えば「ゼロ」であってもよい。
【００４４】
図２は、本発明に係る、音声信号を処理するための方法の別の実施形態のフローチャートである。図２に示されているように、この実施形態における音声信号を処理するための方法は、前述のケース１において説明されたシナリオに対応しており、当該方法は、以下の段階を含んでよい。
【００４５】
段階２０１：主マイクによって収集された第１の音声信号と、補助マイクによって収集された第２の音声信号とを取得する。
【００４６】
段階２０２：第１の音声信号のボリュームが第２の音声信号のボリュームより小さい場合、第１の音声信号処理ポリシーを使用する。
【００４７】
この段階では、主マイクによって収集された第１の音声信号のボリュームが補助マイクによって収集された第２の音声信号のボリュームと比較され、第１の音声信号のボリュームが第２の音声信号のボリュームより小さい場合、第１の音声信号処理ポリシーが使用される。具体的に、第１の音声信号処理ポリシーは、段階２０３から段階２０５において説明されている方法である。
【００４８】
段階２０３：第２の音声信号のボリュームが事前設定されたボリューム閾値より大きい、又はそれに等しいかどうかを決定し、そうである場合は、段階２０４を実行する、又は、そうでない場合は段階２０５を実行する。
【００４９】
段階２０２に基づいて、第２の音声信号のボリュームと事前設定されたボリューム閾値との関係が更に決定され、第２の音声信号のボリュームが事前設定されたボリューム閾値より大きい、又はそれに等しい場合、段階２０４が実行される、又は、そうでない場合は段階２０５が実行される。
【００５０】
段階２０４：補助マイクによって収集された第２の音声信号をピア通信端末に送信する。
【００５１】
第２の音声信号のボリュームが事前設定されたボリューム閾値より大きい、又はそれに等しい場合、補助マイクによって収集された第２の音声信号は、ピア通信端末に送信されるべき音声信号として使用される。
【００５２】
段階２０５：第２の音声信号のボリュームを上げ、ボリュームが上げられた第２の音声信号をピア通信端末に送信する。ここで、第２の音声信号のボリュームは、事前設定されたボリューム閾値より大きい、又はそれに等しいボリュームまで上げられる。
【００５３】
第２の音声信号のボリュームが事前設定されたボリューム閾値より小さい場合、第２の音声信号のボリュームは上げられ、これにより、上げられた第２の音声信号のボリュームはボリューム閾値を上回り、ボリュームが上げられた第２の音声信号はピア通信端末に送信される。
【００５４】
本発明のこの実施形態において、主マイクによって収集された第１の音声信号のボリュームが、補助マイクによって収集された第２の音声信号のボリュームより小さいケースでは、第２の音声信号のボリュームが、事前設定されたボリューム閾値より大きい、又はそれに等しい場合、補助マイクによって収集された第２の音声信号はピア通信端末に送信され、第２の音声信号のボリュームが、事前設定されたボリューム閾値より小さい場合、第２の音声信号のボリュームが上げられた後、ボリュームが上げられた第２の音声信号はピア通信端末に送信されるべき音声信号として使用され、これにより、ピア通信端末に送信されるべき音声信号のボリュームは、事前設定されたボリューム閾値を上回る。それにより、通信プロセスにおいて、指が主マイクの穴を塞ぐせいでピア通信端末のユーザに音が聞こえないという問題を解決する。
【００５５】
図３は、本発明に係る、音声信号を処理するための方法の更に別の実施形態のフローチャートである。図３に示されているように、この実施形態における音声信号を処理するための方法は、前述のケース２において説明されたシナリオに対応しており、当該方法は以下の段階を含んでよい。
【００５６】
段階３０１：主マイクによって収集された第１の音声信号と、補助マイクによって収集された第２の音声信号とを取得する。
【００５７】
段階３０２：第１の音声信号のボリュームが第２の音声信号のボリュームより大きい場合、第２の音声信号処理ポリシーを使用する。
【００５８】
主マイクによって収集された第１の音声信号のボリュームは、補助マイクによって収集された第２の音声信号のボリュームと比較され、第１の音声信号のボリュームが第２の音声信号のボリュームより大きい場合、第２の音声信号処理ポリシーが使用される。具体的に、第２の音声信号処理ポリシーは、段階３０３から段階３０６において説明されている方法である。
【００５９】
段階３０３：第１の音声信号と第２の音声信号との間で音響フィルタリングを実行して第３の音声信号を得る。
【００６０】
段階３０４：第３の音声信号のボリュームが、事前設定されたボリューム閾値より大きい、又はそれに等しいかどうかを決定し、そうである場合は段階３０５を実行する、又は、そうでない場合は段階３０６を実行する。
【００６１】
第１の音声信号と第２の音声信号との間での音響フィルタリングの結果が、事前設定されたボリューム閾値と比較され、当該結果が事前設定されたボリューム閾値より大きい、又はそれに等しい場合、段階３０５が実行される、又は、そうでない場合、段階３０６が実行される。
【００６２】
段階３０５：第３の音声信号をピア通信端末に送信する。
【００６３】
第３の音声信号のボリュームが、事前設定されたボリューム閾値より大きい、又はそれに等しい場合、第３の音声信号はピア通信端末に送信される。
【００６４】
段階３０６：ボリューム増幅処理オペレーションを実行し、ボリューム増幅処理オペレーション実行後の音声信号をピア通信端末に送信する。ここで、ボリューム増幅処理オペレーション実行後、音声信号のボリュームは、事前設定されたボリューム閾値より大きい、又はそれに等しいボリュームまで上げられている。
【００６５】
第３の音声信号ボリュームが事前設定されたボリューム閾値より小さい場合、ボリューム増幅処理オペレーションが実行され、これにより、ボリューム増幅処理オペレーション実行後に得られ、かつ、ピア通信端末に送信される音声信号のボリュームは、事前設定されたボリューム閾値を上回る。
【００６６】
本発明のこの実施形態において、主マイクによって収集された第１の音声信号のボリュームが、補助マイクによって収集された第２の音声信号のボリュームより大きいケースでは、音響フィルタリングが第１の音声信号と第２の音声信号との間で実行されて第３の音声信号が得られ、第３の音声信号のボリュームが、事前設定されたボリューム閾値より大きい、又はそれに等しい場合、第３の音声信号はピア通信端末に送信され、第３の音声信号のボリュームが、事前設定されたボリューム閾値より小さい場合、ボリューム増幅処理オペレーションが実行され、これにより、増幅処理オペレーション実行後に得られ、かつ、ピア通信端末に送信される音声信号のボリュームは事前設定されたボリューム閾値を上回る。それにより、通信プロセスにおいて、通信デバイスのサイズが大きく、主マイクの穴がユーザの口元から離れているせいで、ピア通信端末のユーザが聞く音声のボリュームが小さい、又は、音が全く聞こえないという問題を解決する。
【００６７】
図４は、本発明に係る、音声信号を処理するための方法の更に別の実施形態のフローチャートである。図４に示されているように、この実施形態における音声信号を処理するための方法は、前述のケース３において説明されたシナリオに対応しており、当該方法は、以下の段階を含んでよい。
【００６８】
段階４０１：主マイクによって収集された第１の音声信号と、補助マイクによって収集された第２の音声信号とを取得する。
【００６９】
段階４０２：第１の音声信号のボリュームが第２の音声信号のボリュームと等しい場合、第３の音声信号処理ポリシーを使用する。
【００７０】
主マイクによって収集された第１の音声信号のボリュームは、補助マイクによって収集された第２の音声信号のボリュームと比較され、第１の音声信号のボリュームが第２の音声信号のボリュームと等しい場合、第３の音声信号処理ポリシーが使用される。具体的に、第３の音声信号処理ポリシーは、段階４０３から段階４０６において説明されている方法である。
【００７１】
段階４０３：第２の音声信号のボリュームを下げ、第１の音声信号と、ボリュームが下げられた第２の音声信号との間で音響フィルタリングを実行して第４の音声信号を得る。
【００７２】
段階４０４：第４の音声信号のボリュームが、事前設定されたボリューム閾値より大きい、又はそれに等しいかどうかを決定し、そうである場合、段階４０５を実行する、又は、そうでない場合、段階４０６を実行する。
【００７３】
前の段階における、第１の音声信号と、ボリュームが下げられた第２の音声信号との間での音響フィルタリングの結果が、事前設定されたボリューム閾値と比較され、当該結果が、事前設定されたボリューム閾値より大きい、又はそれに等しい場合、段階４０５が実行される、又は、そうでない場合は、段階４０６が実行される。
【００７４】
段階４０５：第４の音声信号をピア通信端末に送信する。
【００７５】
第４の音声信号のボリュームが、事前設定されたボリューム閾値より大きい、又はそれに等しい場合、第４の音声信号はピア通信端末に送信される。
【００７６】
段階４０６：ボリューム増幅処理オペレーションを実行し、ボリューム増幅処理オペレーション実行後の音声信号をピア通信端末に送信する。ここで、ボリューム増幅処理オペレーション実行後、音声信号のボリュームは、事前設定されたボリューム閾値より大きい、又はそれに等しいボリュームまで上げられている。
【００７７】
第４の音声信号のボリュームが事前設定されたボリューム閾値より小さい場合、ボリューム増幅処理オペレーションが実行され、これにより、ボリューム増幅処理オペレーション実行後に得られ、かつ、ピア通信端末に送信される音声信号のボリュームは、事前設定されたボリューム閾値を上回る。
【００７８】
本発明のこの実施形態において、主マイクによって収集された第１の音声信号のボリュームが、補助マイクによって収集された第２の音声信号のボリュームと等しいケースでは、第２の音声信号のボリュームは下げられ、第１の音声信号と、ボリュームが下げられた第２の音声信号との間で音響フィルタリングが実行されて第４の音声信号が得られ、第４の音声信号のボリュームが、事前設定されたボリューム閾値より大きい、又はそれに等しい場合、第４の音声信号がピア通信端末に送信され、第４の音声信号のボリュームが事前設定されたボリューム閾値より小さい場合、増幅処理オペレーションが実行され、これにより、ボリューム増幅処理オペレーション実行後に得られ、かつ、ピア通信端末に送信される音声信号のボリュームは、事前設定されたボリューム閾値を上回る。それにより、通信プロセスにおいて、主マイクとユーザとの間の距離、及び、補助マイクとユーザとの間の距離がほぼ同じであるせいで、主マイクによって収集された音声信号と補助マイクによって収集された音声信号とが互いに相殺され、ピア通信端末のユーザが聞く音声のボリュームが小さい、又は、音が全く聞こえないという問題を解決する。
【００７９】
前述された実施形態に基づいて、この実施形態では、ボリューム増幅処理オペレーションを実行し、ボリューム増幅処理オペレーション実行後の音声信号をピア通信端末に送信する段階であって、ボリューム増幅処理オペレーション実行後、音声信号のボリュームは事前設定されたボリューム閾値より大きい、又はそれに等しいボリュームまで上げられている、段階は、具体的に、次の方法：第２の音声信号のボリュームを下げ、第１の音声信号と、ボリュームが下げられた第２の音声信号との間で音響フィルタリングを実行して、そのボリュームが、事前設定されたボリューム閾値より大きい、又はそれに等しい第５の音声信号を得、第５の音声信号をピア通信端末に送信する段階、又は、第１の音声信号のボリュームを上げ、ボリュームが上げられた第１の音声信号と、第２の音声信号との間で音響フィルタリングを実行して、そのボリュームが、事前設定されたボリューム閾値より大きい、又はそれに等しい第６の音声信号を得、第６の音声信号をピア通信端末に送信する段階、又は、第２の音声信号のボリュームを下げ、第１の音声信号のボリュームを上げ、ボリュームが上げられた第１の音声信号と、ボリュームが下げられた第２の音声信号との間で音響フィルタリングを実行して、そのボリュームが、事前設定されたボリューム閾値より大きい、又はそれに等しい第７の音声信号を得、第７の音声信号をピア通信端末に送信する段階を使用して実施されてよい。
【００８０】
好ましくは、この実施形態において、前述の増幅処理オペレーションでは、補助マイクによって収集された第２の音声信号のボリュームを下げる段階が優先的に選択され、次に、主マイクによって収集される第１の音声信号のボリュームを上げる段階が選択されて、できるだけ音声信号の元の特徴を保つ。
【００８１】
前述された実施形態では、第１の音声信号のボリュームの値と第２の音声信号のボリュームの値との関係に従って音声信号処理ポリシーを決定する段階の前に、当該方法は更に、第１の音声信号のボリュームと第２の音声信号のボリュームとが最小ボリューム閾値より大きいかどうかを決定する段階と、第１の音声信号のボリューム及び第２の音声信号のボリュームが共に最小ボリューム閾値より大きい場合、第１の音声信号のボリュームの値と第２の音声信号のボリュームの値との関係に従って音声信号処理ポリシーを決定する段階を実行する段階とを備え、最小ボリューム閾値は事前設定されたボリューム閾値より小さい。前述された実施形態では、取得された、主マイクによって収集された第１の音声信号のボリューム及び補助マイクによって収集された第２の音声信号のボリュームが最小ボリューム閾値より大きい、又はそれに等しいことが保証される場合のみ、音声信号を処理するための前述の方法が実行される。取得された、主マイクによって収集された第１の音声信号のボリューム、及び、補助マイクによって収集された第２の音声信号のボリュームが最小ボリューム閾値より小さいケースでは、ユーザは話をしない可能性が高いと考えられ、本発明においては何の処理も実行されない。最小ボリューム閾値は、ほとんど聞こえないデシベル値であり、人の聴力機能に従って記述されたデシベル値である。
【００８２】
好ましくは、最小ボリューム閾値は２０ｄｂであり、事前設定されたボリューム閾値は４０ｄｂである。
【００８３】
図５は、本発明に係る、音声信号を処理するためのデバイスの実施形態の概略構造図である。図５に示されているように、この実施形態において提供されている通信デバイスのための音声信号を処理するためのデバイス１００は、主マイク１００４、補助マイク１００５、受信機１００１、プロセッサ１００２、及び送信機１００３を備え、主マイク１００４及び補助マイク１００５は受信機１００１に接続されており、受信機１００１及び送信機１００３の両方はプロセッサ１００１に接続されていてよい。
【００８４】
主マイク１００４は第１の音声信号を収集し、補助マイク１００５は第２の音声信号を収集する。
【００８５】
受信機１００１は、主マイク１００４によって収集された第１の音声信号と、補助マイク１００５によって収集された第２の音声信号とを取得するよう構成されている。
【００８６】
プロセッサ１００２は、第１の音声信号のボリュームの値と第２の音声信号のボリュームの値との関係に従って音声信号処理ポリシーを決定するよう構成されている。
【００８７】
送信機１００３は、音声信号処理ポリシーに従って、ピア通信端末に送信されるべき音声信号を決定するよう構成されている。ここで、音声信号処理ポリシーは、ピア通信端末に送信されるべき音声信号のボリュームが、事前設定されたボリューム閾値を上回ることを確実にすべく使用される。
【００８８】
主マイク１００４は第１の音声信号を収集する、例えば、具体的には、人によって生成される音を収集し、補助マイク１００５は第２の音声信号を収集する、例えば、具体的には、背景雑音を収集する。補助マイクは、通常、通信デバイスの最上部、又は、別の位置に配置され、補助マイクは複数あってもよい。受信機１００１は、例えば、主マイク１００４及び補助マイク１００５によって収集される音声信号を受信するための受信回路であってよく、プロセッサ１００２は、例えば、処理ユニット（ＣＰＵ）であってよく、送信機１００３は、例えば、音声通信チップ、又は同様のものであってよい。音声信号を処理するためのデバイスは携帯電話、又は、通信モジュールを有する別の携帯端末機であってよい。
【００８９】
任意で、音声信号処理ポリシーは、第１の音声信号処理ポリシーを含み、
プロセッサ１００２は具体的に、第１の音声信号のボリュームが第２の音声信号のボリュームより小さい場合、音声信号処理ポリシーは第１の音声信号処理ポリシーであると決定するよう構成され、当該第１の音声信号処理ポリシーは、第２の音声信号のボリュームが、事前設定されたボリューム閾値より大きい、又はそれに等しいかどうかを決定することであり、送信機１００３は具体的に、第２の音声信号のボリュームが、事前設定されたボリューム閾値より大きい、又はそれに等しい場合、補助マイクによって収集された第２の音声信号をピア通信端末に送信する、又は、第２の音声信号のボリュームが事前設定されたボリューム閾値より小さい場合、第２の音声信号のボリュームを上げ、ボリュームが上げられた第２の音声信号をピア通信端末に送信するよう構成されており、第２の音声信号のボリュームは、事前設定されたボリューム閾値より大きい、又はそれに等しいボリュームまで上げられる。
【００９０】
音声信号処理ポリシーは更に第２の音声信号処理ポリシーを含み、
プロセッサ１００２は具体的に、第１の音声信号のボリュームが第２の音声信号のボリュームより大きい場合、音声信号処理ポリシーは第２の音声信号処理ポリシーであると決定するよう構成されており、当該第２の音声信号処理ポリシーは、第１の音声信号と第２の音声信号との間で音響フィルタリングを実行して第３の音声信号を得、第３の音声信号のボリュームが事前設定されたボリューム閾値より大きい、又はそれに等しいかどうかを決定することであり、送信機１００３は具体的に、第３の音声信号のボリュームが事前設定されたボリューム閾値より大きい、又はそれに等しい場合、第３の音声信号をピア通信端末に送信する、又は、第３の音声信号のボリュームが、事前設定されたボリューム閾値より小さい場合、ボリューム増幅処理オペレーションを実行し、ボリューム増幅処理オペレーション実行後の音声信号をピア通信端末に送信するよう構成され、ここで、ボリューム増幅処理オペレーション実行後、音声信号のボリュームは、事前設定されたボリューム閾値より大きい、又はそれに等しいボリュームまで上げられている。
【００９１】
音声信号処理ポリシーは更に第３の音声信号処理ポリシーを含み、
プロセッサ１００２は具体的に、第１の音声信号のボリュームが第２の音声信号のボリュームと等しい場合、音声信号処理ポリシーは、第２の音声信号のボリュームを下げ、第１の音声信号と、ボリュームが下げられた第２の音声信号との間で音響フィルタリングを実行して第４の音声信号を得る第３の音声信号処理ポリシーであると決定し、第４の音声信号のボリュームが事前設定されたボリューム閾値より大きい、又はそれに等しいかどうかを決定するよう構成されており、送信機１００３は具体的に、第４の音声信号のボリュームが事前設定されたボリューム閾値より大きい、又はそれに等しい場合、第４の音声信号をピア通信端末に送信し、第４の音声信号のボリュームが事前設定されたボリューム閾値より小さい場合、ボリューム増幅処理オペレーションを実行し、ボリューム増幅処理オペレーション実行後の音声信号をピア通信端末に送信するよう構成されており、ここで、ボリューム増幅処理オペレーション実行後、音声信号のボリュームは事前設定されたボリューム閾値より大きい、又はそれに等しいボリュームまで上げられている。
【００９２】
任意で、送信機１００３は具体的に、
第２の音声信号のボリュームを下げ、第１の音声信号と、ボリュームが下げられた第２の音声信号との間で音響フィルタリングを実行して、そのボリュームが、事前設定されたボリューム閾値より大きい、又はそれに等しい第５の音声信号を得、第５の音声信号をピア通信端末に送信する、又は、
第１の音声信号のボリュームを上げ、ボリュームが上げられた第１の音声信号と、第２の音声信号との間で音響フィルタリングを実行して、そのボリュームが、事前設定されたボリューム閾値より大きい、又はそれに等しい第６の音声信号を得、第６の音声信号をピア通信端末に送信する、又は、
第２の音声信号のボリュームを下げ、第１の音声信号のボリュームを上げ、ボリュームが上げられた第１の音声信号と、ボリュームが下げられた第２の音声信号との間で音響フィルタリングを実行して、そのボリュームが、事前設定されたボリューム閾値より大きい、又はそれに等しい第７の音声信号を得、第７の音声信号をピア通信端末に送信するよう構成されている。
【００９３】
任意で、送信機１００２は更に、
第１の音声信号のボリューム及び第２の音声信号のボリュームが最小ボリューム閾値より大きい、又はそれに等しいかどうかを決定し、第１の音声信号のボリューム及び第２の音声信号のボリュームが共に最小ボリューム閾値より大きい、又はそれに等しい場合、第１の音声信号のボリュームの値と第２の音声信号のボリュームの値との関係に従って、音声信号処理ポリシーを決定する段階を実行するよう構成されており、ここで、
最小ボリューム閾値は事前設定されたボリューム閾値より小さい。
【００９４】
任意で、最小ボリューム閾値は２０ｄｂであり、事前設定されたボリューム閾値は４０ｄｂである。
【００９５】
この実施形態における音声信号を処理するためのデバイスは、本発明の何れかの実施形態において提供されている、音声信号を処理するための方法の技術的解決手段を実行するよう構成されてよく、その実装の原理及び技術的効果は同様であり、本明細書において再度説明はされない。
【００９６】
説明を簡便かつ簡潔にする目的で、前述の機能モジュールの分割が説明の一例として見なされるということが、当業者には明確に理解されるであろう。実際の適用では、前述の機能は異なる機能モジュールに割り当てられ、要件に応じて実装され得る、すなわち、装置の内部構造が異なる機能モジュールに分割されて、上述の機能の全部又は一部を実施する。前述のシステム、装置、及びユニットの詳細な動作プロセスに関しては、前述の方法の実施形態の対応するプロセスが参照されてよく、詳細は本明細書において再度説明はされない。
【００９７】
本願において提供されているいくつかの実施形態において、開示されているシステム、装置、及び方法は他の方式で実装されてよいことが理解されるべきである。例えば、説明されている装置の実施形態は例示に過ぎない。例えば、モジュール又はユニットの分割は、論理的な機能の分割に過ぎず、実際の実装においては他の分割であってよい。例えば、複数のユニット又はコンポーネントは、別のシステムに組み合わせられてよい、又は統合されてよい、又は、いくつかの機能が無視されてよい、又は実行されなくてよい。加えて、表示されている、又は論じられている相互連結、又は直接的な連結若しくは通信接続は、いくつかのインタフェースを使用して実装されてよい。装置又はユニット間の間接的な連結又は通信接続は、電子的、機械的、又は他の形態で実装されてよい。
【００９８】
別個の部分として説明されたユニットは、物理的に別個であってもなくてもよいし、ユニットとして表示された部分は、物理的なユニットであってもなくてもよい、一か所に配置されてよい、又は、複数のネットワークユニット上に分散されてよい。ユニットの一部又は全部は、実施形態の解決手段のの目的を実現するよう、実際の必要性に応じて選択されてよい。
【００９９】
加えて、本願の実施形態の機能ユニットは１つの処理ユニットに統合されてよい、又は、それらのユニットの各々は、物理的に単独で存在してよい、又は、２又は複数のユニットが１つのユニットに統合されてよい。統合されたユニットはハードウェアの形態で実装されてよい、又は、ソフトウェア機能ユニットの形態で実装されてよい。
【０１００】
統合されたユニットがソフトウェア機能ユニットの形態で実装され、独立した製品として販売又は使用される場合、統合されたユニットは、コンピュータ可読記憶媒体に格納されてよい。そのような理解に基づいて、本願の本質的な技術的解決手段、又は先行技術に貢献する部分、又は、技術的解決手段の全部又は一部は、ソフトウェア製品の形態で実装されてよい。ソフトウェア製品は記憶媒体に格納され、（パーソナルコンピュータ、サーバ、又はネットワークデバイスであってよい）コンピュータデバイス又はプロセッサ（ｐｒｏｃｅｓｓｏｒ）に命令して、本願の実施形態において説明された方法の段階の全部又は一部を実行させるためのいくつかの命令を備える。前述記憶媒体は、プログラムコードを格納できる、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなどの任意の媒体を含む。
【０１０１】
前述された実施形態は本願の技術的解決手段を説明するためのものに過ぎず、本願を限定するためのものではない。本願は、前述された実施形態を参照して詳細に説明されているが、当業者ならば、本願の実施形態の技術的解決手段の主旨及び範囲から逸脱することなく、前述された実施形態において説明された技術的解決手段に対して更に変更を施し得る、又は、それらの技術的特徴のいくつかに対して等価な置き換えを施し得ることを当業者は理解すべきである。
【図１】
0006381062.tif 000002
【図２】
0006381062.tif 000003
【図３】
0006381062.tif 000004
【図４】
0006381062.tif 000005
【図５】
0006381062.tif 000006